(57)【要約】【課題】着用中の蒸れを防止でき、身体運動の支障となることがなく、バッグ等への収納も簡単で持ち運びも容易なプロテクターを提供する。【解決手段】衝撃吸収パッド３、４はパンチングによる通気孔が形成された複数のパッドを積層して形成されると共に着衣本体２の丸め方向Ｑで縦幅が揃った横長形状に形成されており、着衣本体２の丸め方向に沿って隣接するように着衣本体２内に区分けして配置される。【選択図】図１
2020045583.tif 000002
【特許請求の範囲】
【請求項１】
ベスト又はパンツの形態に形成された着衣本体と、前記着衣本体に設けた衝撃吸収パッドとを備え、
前記衝撃吸収パッドはパンチングによる通気孔が形成された複数のパッドを積層して形成されると共に前記着衣本体の丸め方向で縦幅が揃った横長形状に形成されており、前記着衣本体の丸め方向に沿って隣接するように前記着衣本体内に区分けして配置されていることを特徴とするプロテクター。
【請求項２】
前記衝撃吸収パッドは、メインパッド及び低反発性パッドを積層した２層構造となっており、２層構造の状態で前記着衣本体に配置されることを特徴とする請求項１記載のプロテクター。
【請求項３】
前記衝撃吸収パッドは、メインパッド、ボードパッド及び低反発性パッドを積層した３層構造となっており、３層構造の状態で前記着衣本体の背骨対応部分に配置されることを特徴とする請求項１記載のプロテクター。
【請求項４】
前記衝撃吸収パッドを覆うハニカム状メッシュ布地が前記着衣本体の内側に縫い付けられていることを特徴とする請求項１乃至３のいずれか１項記載のプロテクター。
【発明の詳細な説明】
【技術分野】
【０００１】
本発明は、スキー、スノーボード、スケート等のウィンタースポーツだけなく、乗馬、登山、サイクリング、ローラースケート等の様々なスポーツ、さらには作業現場での作業やリハビリを含むウォーキング等の広範囲の行動に好適に用いることができるプロテクターに関する。
【背景技術】
【０００２】
特許文献１には、スキー等のウィンタースポーツの際に着用される従来のプロテクターが開示されている。
このプロテクターは、袖無しのベスト形状に形成された着衣本体の肩口部及び腰部に第１ファスナーを設け、この第１ファスナーに結合可能な第２ファスナーを腕部及び腰防護部材に設けた構造となっている。これにより使用者の成長に応じて腕部及び腰防護部材を交換可能とするものである。このプロテクターでは、着衣本体の胸部分、腹部分及び腰防護部材に緩衝材が適宜、取り付けられて衝撃を緩和するようになっている。
【先行技術文献】
【特許文献】
【０００３】
【特許文献１】実用新案登録第３１４９８９６号公報
【発明の概要】
【発明が解決しようとする課題】
【０００４】
しかしながら、従来のプロテクターでは、身体からの熱を発散することができず、着用中に蒸れる問題がある。又、緩衝材が身体の動きの邪魔となって思うような身体運動ができない問題も有している。さらに、プロテクターを丸めるのに緩衝材が邪魔となり、丸めてバッグに収納することが難しく、持ち運びがしにくい問題も有している。
【０００５】
本発明は、以上の問題点を考慮してなされたものであり、着用中の蒸れを防止でき、様々な身体運動の支障となることがなく、さらにはバッグ等への収納も簡単で持ち運びも容易なプロテクターを提供することを目的とする。
【課題を解決するための手段】
【０００６】
本発明のプロテクターは、ベスト又はパンツの形態に形成された着衣本体と、前記着衣本体に設けた衝撃吸収パッドとを備え、前記衝撃吸収パッドはパンチングによる通気孔が形成された複数のパッドを積層して形成されると共に前記着衣本体の丸め方向で縦幅が揃った横長形状に形成されており、前記着衣本体の丸め方向に沿って隣接するように前記着衣本体内に区分けして配置されていることを特徴とする。
【０００７】
この場合、前記衝撃吸収パッドは、メインパッド及び低反発性パッドを積層した２層構造となっており、２層構造の状態で前記着衣本体に配置されることを特徴とする。
又、前記衝撃吸収パッドは、メインパッド、ボードパッド及び低反発性パッドを積層した３層構造となっており、３層構造の状態で前記着衣本体の背骨対応部分に配置されることを特徴とする。
又、前記衝撃吸収パッドを覆うハニカム状メッシュ布地が前記着衣本体の内側に縫い付けられていることを特徴とする。
【発明の効果】
【０００８】
本発明によれば、着用中の蒸れを防止でき、様々な身体運動の支障となることがなく、しかもバッグ等への収納も簡単で持ち運びも容易なプロテクターとすることができる。
【図面の簡単な説明】
【０００９】
【図１】本発明の一実施形態であり、着衣本体をベストの形態とした場合の正面図である。
【図２】図１の背面図である。
【図３】図１のＭ−Ｍ線における衝撃吸収パッドの積層状態を示す斜視図である。
【図４】図１のＭ−Ｍ線における断面図である。
【図５】図１のＬ−Ｌ線における衝撃吸収パッドの配置状態を示す断面図である。
【図６】背骨対応部分における衝撃吸収パッドの積層状態を示す斜視図である。
【図７】図２のＮ−Ｎ線における断面図である。
【図８】バッグへの収納を示す斜視図である。
【図９】バッグへの収納状態を示す断面図である。
【図１０】ファスナー部分を示す斜視図である。
【図１１】（Ａ）及び（Ｂ）はパンツの形態を示す斜視図及び背面図である。
【発明を実施するための形態】
【００１０】
図１〜図７は、本発明の一実施形態を示す。本発明のプロテクター１は着衣本体２を備え、この着衣本体２の内部に複数の衝撃吸収パッド３、４が配置される。この実施形態においては、着衣本体２が袖無しのベストの形態に形成されるものである。着衣本体２の全体は、例えばポリエステル、ポリウレタン、ナイロン等の複数の合成樹脂糸を混紡した伸縮性の布材１６によって形成される。
【００１１】
図１及び図２に示すように、ベスト形態の着衣本体２は、右前身頃５、左前身頃６、背見頃７によって形成されている。首部分には袋状の首回り部材８が設けられ、右前身頃５と背見頃７及び左前身頃６と背見頃７とは袖無しの腕通し可能な側部連結部材９によって連結されている。右前身頃５及び左前身頃６の前面部分はファスナー１０によって離反及び結合可能となっている。ファスナー１０は首回り部材８にまで配置される。
【００１２】
以上の着衣本体２に対し、衝撃吸収パッド３、４が右前身頃５、左前身頃６、背見頃７、側部連結部材９の内部に配置される。衝撃吸収パッド３、４に対し、着衣本体２の内面には、ハニカム状メッシュ布地１１が縫い付けられており、衝撃吸収パッド３、４はハニカム状メッシュ布地１１を介して着衣本体２の内部に取り付けられる。このハニカム状メッシュ布地１１は着衣本体２の内部で衝撃を分散させるように機能する。そして、分散した衝撃は衝撃吸収パッド３，４によって、さらに緩和される。なお、首回り部材８には衝撃吸収パッド３、４が設けられていない。
【００１３】
衝撃吸収パッド３、４は、複数のパッドを積層することにより形成されるものである。この内、衝撃吸収パッド３は右前身頃５、左前身頃６及び側部連結部材９の内部に配置される。背見頃７は図２に示すように、背骨対応部分１２と、背骨対応部分１２の左右両側の背中対応部分１３とによって形成されている。この内、背骨対応部分１２には衝撃吸収パッド４が配置され、両側の背中対応部分１３には衝撃吸収パッド３が配置される。
【００１４】
一方の衝撃吸収パッド３は図３〜図５に示すように、メインパッド１４、低反発パッド１５を積層した２層構造により形成されている。メインパッド１４はパンチング等によって通気孔を多数形成したクッション材、又はメッシュ素材、又は熱を吸収し易い素材（例えば、ポリエステル）のビーズ片や繊維片をエチレン酢酸ビニル（ＥＶＡ）等の樹脂材料に練り込んで成形される。このようなメインパッド１４は柔らかく弾力を有しているため、衝撃を良好に吸収することができる。メインパッド１４の厚さは例えば５ｍｍ程度である。
低反発パッド１５はウレタン系樹脂によって成形されており、圧力に対する反発力が小さいため衝撃に合わせてゆっくり形状を変えて衝撃を緩和する。低反発パッド１５の厚さは例えば３ｍｍ程度である。
【００１５】
図４及び図５に示すように、メインパッド１４と低反発パッド１５とを積層した状態で縫糸１７によって布材１６を区切って袋状とする。そして、それぞれの袋状部分に対しパッドの積層体を入れ込むことによりパッドの積層体を着衣本体２の内部に区分けして取り付ける。積層体を区分けすることにより区分け部分が折り目となるため、着衣本体２を丸めることができる。又、積層体が折り目で区分けされるため、着用時の身体の動きの邪魔となることがない。
【００１６】
他方の衝撃吸収パッド４は図６及び図７に示すように、メインパッド１４と低反発パッド１５に加えて、これらのパッド１４、１５の間にボードパッド１８が挟まれて積層された３層構造となっている。ボードパッド１８はポリエチレン（ＰＥ）からなる硬質パッドであり、厚さは例えば１ｍｍ程度となっている。ボードパッド１８を備えた３層構造の衝撃吸収パッド４は、ベスト形態の着衣本体２における背骨対応部分１２に配置される（図７参照）。これにより背骨対応部分１２の強度を付与することができ、背骨を衝撃から保護することができる。又、メインパッド１４及び低反発パッド１５による衝撃緩和作用も有している。
【００１７】
以上の衝撃吸収パッド３、４におけるメインパッド１４、低反発パッド１５及びボードパッド１８のそれぞれには、パンチングによる通気孔（図示省略）が複数形成されるものである。このように通気孔を形成することにより通気性が向上して着衣時における蒸れを防止することができる。又、パッド１４、１５、１８を軽量化することができる。これによりスキー、スノーボード、スケート等のウィンタースポーツだけなく、乗馬、登山、サイクリング、ローラースケート等の様々なスポーツ、さらには作業現場での作業やリハビリを含むウォーキング等の広範囲の行動に好適に用いることができる。
【００１８】
次に、着衣本体２に対する衝撃吸収パッド３、４の配置構造を説明する。着衣本体２が布材１６によって形成されることにより着衣本体２を丸めることができる。図１及び図５における矢印Ｑは着衣本体２の丸め方向を示す。図５に示すように、それぞれの衝撃吸収パッド３、４は丸め方向Ｑに対する縦幅Ｘがほぼ同じ寸法となっており、縦幅Ｘが丸め方向に沿って揃った状態となっている。さらに、衝撃吸収パッド３、４は縦幅Ｘと直交した方向では、横方向に延びた横長形状に形成されている。
【００１９】
以上のような衝撃吸収パッド３、４の複数を丸め方向Ｑに沿って隣接するように着衣本体２に区分けして配置する。これにより図１及び図２示すように、衝撃吸収パッド３、４は着衣本体２の上下方向のほぼ同じ高さ位置で横並び状に配置される。しかも着衣本体２の上下方向では衝撃吸収パッド３、４が隣接して区分けされている。このような配置により図１及び図２に示すように、衝撃吸収パッド３，４を区切る折り目２５が着衣本体２の上下方向に複数形成される。折り目２５を形成することにより身体の動きを妨げることがない。このような状態では、着衣本体２をＱ方向に沿って丸める際に折り目２５で円滑に折られて衝撃吸収パッド３，４が相互に干渉しないため邪魔にならない。そして、このように丸めた着衣本体２は嵩張ることなくコンパクトとなるため、図８及び図９に示すようにバッグ１９に簡単に収納することができ、バッグ１９を肩に下げたりして持ち運ぶことができる。
【００２０】
図１及び図２に示すように、ベルトの形態の着衣本体２においては、着衣本体２の下端部の複数箇所にベルト通しリング２３を取り付けることができる。このベルト通しリング２３にパンツ側のベルトを挿通させることにより、裾のずれ上がりを防止することができる。これによりフィット感及び着用感を向上させることができる。
【００２１】
図１０は着衣本体２の前面に設けたファスナー１０を示す。上下方向のエレメント２０に対してスライダー２１がスライド可能となってファスナー１０の開閉が行われる。首回り部分８には、ファスナー１０の終端部分を覆うスライダー格納部２２が形成されており、ファスナー１０を閉じたとき、スライダー２１がスライダー格納部２２内に格納される。このためスライダー２１が身体と接触することがなく、接触による不快感を軽減することができる。
【００２２】
図１１は着衣本体２がパンツの形態を示す。このパンツの形態の着衣本体２に対し、衝撃吸収パッドとしては、図３〜図５に示したメインパッド１４及び低反発パッド１５を積層した２層構造が用いられる。この構造の衝撃吸収パッドを用いることにより、脚の動きの邪魔となることがないと共に通気性を確保することができる。
【００２３】
このパンツの形態においても、衝撃吸収パッドは着衣本体２の丸め方向Ｑに沿って縦幅がほぼ同じで揃っており、しかも横長形状に形成されたものが用いられる。この形状の衝撃吸収パッドをパンツ（着衣本体２）の丸め方向Ｑに沿って隣接するようにパンツ内に区分けして配置する。これにより折り目２５が着衣本体２の上下方向に複数形成されるため、パンツを簡単に丸めることができ、バッグに収納して持ち運ぶことができる。
【符号の説明】
【００２４】
１  プロテクター
２  着衣本体
３  衝撃吸収パッド
４  衝撃吸収パッド
５  右前身頃
６  左前身頃
７  背見頃
８  首回り部材
９  側部連結部材
１０  ファスナー
１１  ハニカム状メッシュ布地
１２  背骨対応部分
１４  メインパッド
１５  低反発パッド
１６  布材
１８  ボードパッド
２２  スライダー格納部
２３  ベルト通しリング
【図１】
2020045583.tif 000003
【図２】
2020045583.tif 000004
【図３】
2020045583.tif 000005
【図４】
2020045583.tif 000006
【図５】
2020045583.tif 000007
【図６】
2020045583.tif 000008
【図７】
2020045583.tif 000009
【図８】
2020045583.tif 000010
【図９】
2020045583.tif 000011
【図１０】
2020045583.tif 000012
【図１１】
2020045583.tif 000013
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
ベストの形態に形成された着衣本体２と、前記着衣本体２に設けた衝撃吸収パッド３，４とを備え、
前記衝撃吸収パッド３，４はパンチングによる通気孔が形成された複数のパッドを積層して形成されると共に前記着衣本体２の丸め方向Ｑで縦幅が揃った横長形状に形成されており、
前記着衣本体２は左右の前身頃５，６と、背身頃７と、前記左右の前身頃５，６と背身頃７とを連結する腕通し可能な側部連結部材９，９とによって形成され、
前記背身頃７は背骨対応部分１２と、背骨対応部分１２の左右両側の背中対応部分１３，１３との３列に区切られており、
前記衝撃吸収パッド３，４は前記左右の前身頃５，６、前記側部連結部材９，９、前記背骨対応部分１２、前記背中対応部分１３，１３に対し前記丸め方向Ｑに沿って隣接するように区分して配置されていることを特徴とするプロテクター。
【請求項２】
前記衝撃吸収パッド３は、メインパッド１４及び低反発性パッド１５を積層した２層構造となっており、２層構造の状態で前記左右の前身頃５，６、前記側部連結部材９，９、前記背中対応部分１３，１３に配置されることを特徴とする請求項１記載のプロテクター。
【請求項３】
前記衝撃吸収パッド４は、メインパッド１４、ボードパッド１８及び低反発性パッド１５を積層した３層構造となっており、３層構造の状態で前記背骨対応部分１２に配置されることを特徴とする請求項１記載のプロテクター。
【請求項４】
前記衝撃吸収パッド３，４を覆うハニカム状メッシュ布地１１が前記着衣本体２の内側に縫い付けられていることを特徴とする請求項１乃至３のいずれか１項記載のプロテクター。